(57)【要約】    【課題】  ビタミンＣの消費を抑えてビタミンＣ供給の寿命が長く、使用者がビタミンＣの消費状況を容易に把握できる温水洗浄便座装置を提供すること。    【解決手段】  温水洗浄便座装置１は、洗浄水を噴出して人体局部を洗浄する肛門洗浄ノズル５、ビデ洗浄ノズル６と、洗浄水を供給する給水源２１と給水源２１と肛門洗浄ノズル５、ビデ洗浄ノズル６を連通する配管２５と配管２５に設けられ洗浄水を加熱して貯留する温水タンク２３と温水タンク２３の洗浄水の開閉制御する給水弁２２とを有する給水回路２０と、配管２５と連通するバイパス配管２７とバイパス配管２７へ洗浄水の流れを切り換えるバイパス切換弁２８とを有するパイパス回路２６と、バイパス回路２６に設けられバイパス配管２７を流れる洗浄水にビタミンＣを供給するビタミンＣカートリッジ９と、操作パネル８と、操作パネルからの信号を受けて給水回路２０とバイパス回路２６を制御する制御装置３１と、から構成される。【選択図】  図２
2009046887.tif 000002
【特許請求の範囲】
【請求項１】
洗浄水を噴出して人体局部を洗浄する洗浄手段と、
前記洗浄水を供給する給水源と、前記給水源と前記洗浄手段を連通する配管と、前記配管に設けられ前記洗浄水を加熱して貯留する温水タンクと、前記温水タンクの前記洗浄水の前記洗浄手段への供給を開閉制御する給水弁と、を有する給水手段と、
前記給水手段と連通し、バイパス配管と、前記バイパス配管へ前記洗浄水を切り換えるバイパス切換弁と、を有するパイパス手段と、
前記バイパス手段に設けられ、前記バイパス配管を流れる前記洗浄水にビタミンＣを供給するビタミンＣ供給手段と、
前記給水手段と前記バイパス手段を操作する操作手段と、
前記操作手段からの信号を受けて前記給水手段と前記バイパス手段を制御する制御装置と、を備えた温水洗浄便座装置。
【請求項２】
前記ビタミンＣ供給手段から前記洗浄水を便器に排出する排出機構を備える、ことを特徴とする請求項１に記載の温水洗浄便座装置。
【請求項３】
前記制御装置は、前記バイパス手段への前記洗浄水の通水が所定値を超えると、前記ビタミンＣ供給手段の交換を報知手段で報知する、ことを特徴とする請求項１又は請求項２のいずれかに記載の温水洗浄便座装置。
【請求項４】
ビタミンＥを供給するビタミンＥ供給手段と、前記ビタミンＥを人体局部に噴出する噴出手段と、前記ビタミンＥ供給手段から前記噴出手段へ前記ビタミンＥを送給する送給手段と、から構成されるケア手段を備え、
前記ケア手段は前記制御装置により制御される、ことを特徴とする請求項１乃至３のいずれか一項に記載の温水洗浄便座装置。
【発明の詳細な説明】
【技術分野】
【０００１】
本発明は、ビタミンＣにより洗浄水に含まれる残留塩素を除去する温水洗浄便座装置に関する。
【背景技術】
【０００２】
従来のビタミンＣにより洗浄水に含まれる残留塩素を除去する温水洗浄便座装置は、洗浄水の配管途中にビタミンＣ（薬剤）を放出する機構を設けて、洗浄水に含まれる残留塩素を除去している。また、配管途中に水抜きのための機構を設けて、長期間使用しない場合の雑菌の繁殖、水垢、ビタミンＣの固形化を防止している。また使用者にビタミンＣの消費を知らせるために、薬剤を放出する機構に透明な材料を使用したり、薬剤を着色したりしている（例えば特許文献１参照。）。
【特許文献１】特開２０００−３０１０３１号公報
【発明の開示】
【発明が解決しようとする課題】
【０００３】
しかしながら、従来の温水洗浄便座装置では、使用者が洗浄操作を行うと必ずビタミンＣを放出する機構を洗浄水が流動するため、洗浄操作毎にビタミンＣが洗浄水に溶出し、ビタミンＣの消費を早める問題がある。また、温水洗浄便座装置の本体ケース内にビタミンＣを収納すると、使用者はビタミンＣの消費状況を把握できない問題がある。
【０００４】
本発明は上記問題点に鑑みてなされたものであり、従来の温水洗浄便座装置と比べてビタミンＣの消費を抑えてビタミンＣ供給の寿命が長く、また、使用者がビタミンＣの消費状況を容易に知ることができる温水洗浄便座装置を提供することを目的とする。
【課題を解決するための手段】
【０００５】
上記課題を解決するため、請求項１に記載の発明は、洗浄水を噴出して人体局部を洗浄する洗浄手段と、前記洗浄水を供給する給水源と、前記給水源と前記洗浄手段を連通する配管と、前記配管に設けられ前記洗浄水を加熱して貯留する温水タンクと、前記温水タンクの前記洗浄水の前記洗浄手段への供給を開閉制御する給水弁と、を有する給水手段と、前記給水手段と連通し、バイパス配管と、前記バイパス配管へ前記洗浄水を切り換えるバイパス切換弁と、を有するパイパス手段と、前記バイパス手段に設けられ、前記バイパス配管を流れる前記洗浄水にビタミンＣを供給するビタミンＣ供給手段と、前記給水手段と前記バイパス手段を操作する操作手段と、前記操作手段からの信号を受けて前記給水手段と前記バイパス手段を制御する制御装置と、から構成される。
【０００６】
また、請求項２に記載の発明は、前記ビタミンＣ供給手段から前記洗浄水を便器に排出する排出機構を備える。
【０００７】
また、請求項３に記載の発明は、前記バイパス手段への前記洗浄水の通水が所定値を超えると、前記ビタミンＣ供給手段の交換を報知手段で報知する。
【０００８】
また、請求項４に記載の発明は、ビタミンＥを供給するビタミンＥ供給手段と、前記ビタミンＥを人体局部に噴出する噴出手段と、前記ビタミンＥ供給手段から前記噴出手段へ前記ビタミンＥを送給する送給手段と、から構成されるケア手段を備え、前記ケア手段は前記制御装置により制御される。
【発明の効果】
【０００９】
請求項１に記載の発明では、ビタミンＣ供給手段を給水手段に連通するパイパス手段に設けたため、洗浄水がバイパス手段を流動したときにのみ洗浄水にビタミンＣが供給される。したがって、ビタミンＣの洗浄水への溶出は、洗浄水がバイパス手段を流動するときに限定され、従来の使用者が洗浄操作を行う毎にビタミンＣを溶出する場合と比べてビタミンＣの消費が抑えられ、洗浄水に含まれる残留塩素を除去する寿命が長くなる。
【００１０】
また、請求項２に記載の発明では、ビタミンＣ供給手段は洗浄水を便器に排出する排出機構を備えるため、ビタミンＣの洗浄水への溶出による消費を抑え、また長期間使用しない場合の雑菌の繁殖、水垢、ビタミンＣの固形化を防止できる。
【００１１】
また、請求項３に記載の発明では、バイパス手段への洗浄水の通水が所定値を超えると、制御装置はビタミンＣ供給手段の交換を報知手段で報知するため、温水洗浄便座装置の本体ケース内にビタミンＣ供給手段を設けた場合でも使用者はビタミンＣの消費状況を容易に把握できる。洗浄水の通水の所定値とはビタミンＣの洗浄水への溶出による消費と相関関係があり定量的に把握できるものであればよく、具体的にはバイパス手段への洗浄水の通水時間又は通水量である。
【００１２】
また、請求項４に記載の発明では、給水手段からの洗浄水により人体局部を洗浄する給水手段とは別にケア手段を設けることで、使用者は人体局部の血行をよくして、痔の予防・改善、生理痛の軽減が可能になるとともに、洗浄水の残留塩素の除去が不要になる。
【発明を実施するための最良の形態】
【００１３】
以下に本発明の実施形態を図面を参照しつつ詳細に説明する
図１は、本発明の温水洗浄便座装置１の全容を示す斜視図である。温水洗浄便座装置１は、便器２と、便器２に載置された本体ケーシング３と、本体ケーシング３によって便器２に対し傾立状態と重合状態とに変位自在に保持された便座４とから構成される。
【００１４】
本体ケーシング３は、洗浄時に所定位置まで延出して洗浄水を噴出して肛門部を洗浄する肛門洗浄ノズル５（洗浄手段）と、洗浄時に所定位置まで延出して女性部を洗浄するビデ洗浄ノズル６（洗浄手段）と、使用時に所定位置まで延出して肛門部に向けてビタミンＥを噴霧するケアノズル７（噴出手段）と、を備える。
【００１５】
また、本体ケーシング３の便器２の一側方には、操作パネル８（操作手段）と、洗浄水にビタミンＣを供給するためのビタミンＣカートリッジ９（ビタミンＣ供給手段）を収容するビタミンＣカートリッジ収容部１０と、肛門部にビタミンＥを噴霧するためのビタミンＥカートリッジ１１（ビタミンＥ供給手段）を収容するビタミンＥカートリッジ収容部１２と、を備える。ビタミンＣカートリッジ９は、肛門洗浄ノズル５及びビデ洗浄ノズル６より高い位置に設けられる。操作パネル８は、肛門洗浄ボタン１５と、ビデ洗浄ボタン１６と、ビタミンＣ供給ボタン１７と、ケアボタン１８と、停止ボタン１９とを備える。ビタミンＣカートリッジ収容部１０の横にはビタミンＣカートリッジ９の交換を使用者に知らせるためのビタミンＣ交換ランプ１３（報知手段）が設けられ、ビタミンＥカートリッジ収容部１２の横にはビタミンＥカートリッジ１１の交換を使用者に知らせるためのビタミンＥ交換ランプ１４が設けられる。
【００１６】
図２は、本発明の温水洗浄便座装置１の回路をブロック化して示す回路図である。給水回路２０（給水手段）は、洗浄水を供給する給水源２１と、給水源２１からの洗浄水を開閉制御する給水弁２２と、給水弁２２からの洗浄水を加熱して貯留する温水タンク２３と、温水タンク２３からの洗浄水を肛門洗浄ノズル５又はビデ洗浄ノズル６のいずれかに切り換える三方切換弁２４と、給水源２１と肛門洗浄ノズル５又はビデ洗浄ノズル６と連通して洗浄水が流動する配管２５と、から構成される。
【００１７】
温水タンク２３と三方切換弁の間にはバイパス回路２６（バイパス手段）が設けられる。バイパス回路２６は、配管２５に連通するバイパス配管２７と、ハイパス配管２７へ洗浄水の流れを切り換えるバイパス切換弁２８とから構成される。バイパス回路２６には洗浄水にビタミンＣを供給するためのビタミンＣカートリッジ９が設けられる。
【００１８】
ビタミンＥカートリッジ１１のビタミンＥは、給水回路２０とは別のケア回路２９（ケア手段）に設けられ、ポンプ３０（送給手段）により送給されて、ケアノズル７から肛門部に向けて噴霧（噴出）される。
【００１９】
制御装置３１は操作パネル８からの信号を受けて、給水回路２０、バイパス回路２６、ケア回路２９、ビタミンＣ交換ランプ１３、ビタミンＥ交換ランプ１４を制御する。
【００２０】
次に温水洗浄便座装置１の動作について詳述する。
【００２１】
（洗浄動作）
操作パネル８の肛門洗浄ボタン１５を使用者が押すと、制御装置３１は給水弁２２を開き、バイパス切換弁２８を配管２５に連通させ、三方切換弁２４を肛門洗浄ノズル５に連通する。洗浄水は配管２５の給水弁２２、温水タンク２３、バイパス切換弁２８、三方切換弁２４を経由して、肛門洗浄ノズル５から肛門部へ向けて噴射される。同様に、操作パネル８のビデ洗浄ボタン１６を使用者が押すと、制御装置３１は給水弁２２を開き、バイパス切換弁２８を配管２５に連通させ、三方切換弁２４をビデ洗浄ノズル６に連通する。洗浄水は配管２５の給水弁２２、温水タンク２３、バイパス切換弁２８、三方切換弁２４を経由して、ビデ洗浄ノズル６から女性部へ向けて噴射される。
【００２２】
（ビタミンＣを含んだ洗浄動作）
操作パネル８のビタミンＣ供給ボタン１７が押された状態で肛門洗浄ボタン１５を使用者が押すと、制御装置３１は給水弁２２を開き、バイパス切換弁２８をハイパス配管２７に連通させ、三方切換弁２４を肛門洗浄ノズル５に連通する。バイパス配管２７に設けたビタミンＣカートリッジ９でビタミンＣが洗浄水に溶出して、洗浄水に含まれる残留塩素を除去しながら肛門洗浄ノズル５から肛門部へ向けて噴射される。同様に操作パネル８のビタミンＣ供給ボタン１７が押された状態でビデ洗浄ボタン１６を使用者が押すと、制御装置３１は給水弁２２を開き、バイパス切換弁２８をハイパス配管２７に連通させ、三方切換弁２４をビデ洗浄ノズル６に連通する。バイパス配管２７に設けたビタミンＣカートリッジ９でビタミンＣが洗浄水に溶出して、洗浄水に含まれる残留塩素を除去しながらビデ洗浄ノズル６から女性部へ向けて噴射される。
【００２３】
（洗浄水の排出動作）
ビタミンＣを含んだ洗浄動作の後、使用者が停止ボタン１９を押すと、制御装置３１は給水弁２２を閉じ、バイパス切換弁２８のバイパス配管２７への連通を停止し、三方切換弁２４を肛門洗浄ノズル５又はビデ洗浄ノズル６に連通する。ビタミンＣカートリッジ９は肛門洗浄ノズル５及びビデ洗浄ノズル６より高い位置に設けられるため、ビタミンＣカートリッジ９の洗浄水はバイパス配管２７、三方切換弁２４、配管２５を経由して肛門洗浄ノズル５又はビデ洗浄ノズル６より便器２内に排出される（排出機構）。
【００２４】
（報知動作）
制御装置３１は、給水弁２２が開で且つバイパス切換弁２８をハイパス配管２７に連通させた状態の累積時間を計測して、所定時間（所定値）経過（概ね１００時間）するとビタミンＣ交換ランプ１３を点灯して、使用者にビタミンＣカートリッジ９の交換を報知する。また、制御装置３１は、ポンプ３０の稼働の累積時間を計測して、所定時間（所定値）経過するとビタミンＥ交換ランプ１４を点灯して、使用者にビタミンＥカートリッジ９の交換を報知する。
【００２５】
（ケア動作）
操作パネル８のケアボタン１８を使用者が押すと、制御装置３１はケア回路２９のポンプ３０を稼働する。ビタミンＥカートリッジ１１のビタミンＥは、ポンプ３０を経由してケアノズル７より肛門部に向けて噴霧される。
【００２６】
本発明の温水洗浄便座装置１では、ビタミンＣカートリッジ９を給水回路２０に連通するパイパス回路２６に設けたため、使用者が操作パネル８でビタミンＣ供給ボタンを操作したときにのみ洗浄水はバイパス回路２６を流動する。したがって、ビタミンＣの洗浄水への溶出による消費は、洗浄水がバイパス回路２６を流動するときに限定され、従来の使用者が洗浄操作を行う毎にビタミンＣが溶出する場合と比較してビタミンＣの消費が抑えられ、洗浄水に含まれる残留塩素を除去する寿命が長くなる。
【００２７】
また、停止ボタン１９が押されると、ビタミンＣカートリッジ９の洗浄水は便器２内に排出されるため、ビタミンＣの洗浄水への溶出による消費を抑え、また長期間使用しない場合の雑菌の繁殖、水垢、ビタミンＣの固形化を防止できる。
【００２８】
また、バイパス回路２６への洗浄水の通水が所定時間を超えると、制御装置３１はビタミンＣカートリッジ９の交換をビタミンＣ交換ランプ１３で報知するため、温水洗浄便座装置１の本体ケース２内にビタミンＣカートリッジ９を収納しても使用者はビタミンＣの消費状況を容易に把握できる
また、給水回路２０とは別にケア回路２９を備えるため、使用者は肛門部の血行をよくして、痔の予防・改善、生理痛の軽減が可能になる。また給水回路２０とは別の回路であるため洗浄水の残留塩素の除去が不要になる。
【図面の簡単な説明】
【００２９】
【図１】本発明の温水洗浄便座装置の全容を示す斜視図である。
【図２】本発明の温水洗浄便座装置の回路をブロック化して示す回路図である。
【符号の説明】
【００３０】
１  温水洗浄便座装置
５  肛門洗浄ノズル（洗浄手段）
６  ビデ洗浄ノズル（洗浄手段）
７  ケアノズル（噴出手段）
８  操作パネル（操作手段）
９  ビタミンＣカートリッジ（ビタミンＣ供給手段）
１１  ビタミンＥカートリッジ（ビタミンＥ供給手段）
１３  ビタミンＣ交換ランプ（報知手段）
２０  給水回路（給水手段）
２６  バイパス回路（バイパス手段）
２９  ケア回路（ケア手段）
３１  制御装置
【図１】
2009046887.tif 000003
【図２】
2009046887.tif 000004